(57)【要約】【課題】複数のコンテンツを順次表示させながらも、様々なコンテンツを割込み表示できるようにする。【解決手段】情報処理装置１０は、表示部１２と、表示部１２に表示される複数の通常コンテンツ及び割込みコンテンツを記憶した記憶部１３と、各通常コンテンツを記憶部１３から逐次読み出して表示部１２の画面に順次表示させ、該各通常コンテンツの順次表示中に割込みタイミングを設定して、該割込みタイミングで各通常コンテンツの順次表示を中断させると共に割込みコンテンツを記憶部１３から逐次読み出して表示部１２に表示させる制御部２１と、を備えるものである。【選択図】図２
2019168524.tif 000002
【特許請求の範囲】
【請求項１】
表示部と、
前記表示部に表示される複数の通常コンテンツ及び割込みコンテンツを記憶する記憶部と、
前記各通常コンテンツを前記記憶部から逐次読み出して前記表示部の画面に順次表示させ、該各通常コンテンツの順次表示中に割込みタイミングを設定して、該割込みタイミングで前記各通常コンテンツの順次表示を中断させると共に、前記割込みコンテンツを前記記憶部から読み出して前記表示部に表示させる制御部と、を備える情報処理装置。
【請求項２】
前記制御部は、前記割込みコンテンツの表示開始時点から予め設定された一定時間が経過すると、前記割込みコンテンツの表示を前記表示部から消去して、前記各通常コンテンツの順次表示を再開させる請求項１に記載の情報処理装置。
【請求項３】
前記制御部は、前記割込みコンテンツの表示中に、ユーザーによる前記情報処理装置の操作に基づき前記割込みコンテンツの表示を継続する指示が入力されたことを判定すると、前記一定時間が経過したか否かに拘わらず、前記割込みコンテンツの表示を継続させる請求項２に記載の情報処理装置。
【請求項４】
前記制御部は、前記各通常コンテンツの順次表示を行っているときに、予め定められた通常コンテンツを表示させた後に到来する、当該通常コンテンツから次の表示順序のコンテンツに表示を切り替えるタイミングを、前記割込みタイミングとして設定する請求項２に記載の情報処理装置。
【請求項５】
前記制御部は、前記各通常コンテンツの順次表示により通常コンテンツの表示が切り替えられた回数を算出し、該算出した回数が規定回数に達した後に到来する、この時点で表示されているコンテンツから次の表示順序のコンテンツに表示を切り替えるタイミングを、前記割込みタイミングとして設定する請求項２に記載の情報処理装置。
【請求項６】
前記制御部は、前記各通常コンテンツの順次表示の開始時に、前回の各通常コンテンツの順次表示の終了時からの経過時間が、予め設定された規定時間以上となっている場合に、前記開始時のタイミングを前記割込みコンテンツの割込みタイミングとして設定する請求項２に記載の情報処理装置。
【発明の詳細な説明】
【技術分野】
【０００１】
本発明は、表示部を備える携帯可能な情報処理装置に関し、特に、表示部の表示を切り替えるための技術に関する。
【背景技術】
【０００２】
コンテンツを表示する表示システムとしては、携帯電話端末内の傾き検知センサーを利用して、傾きに従って電子ペーパーの表示部の表示内容を切り替えるものがある（下記特許文献１参照）。この表示システムでは、例えば、傾き検知センサーにより検出された傾き角度が一定値以上になったときに、その傾きの方向が右ならば次ページを表示し、また左ならば前ページを表示し、あるいは傾き方向が前ならば指定ページ数先を表示し、また後ろならば指定ページ数前を表示する。
【先行技術文献】
【特許文献】
【０００３】
【特許文献１】特開２００５−１６５７６０号公報
【発明の概要】
【発明が解決しようとする課題】
【０００４】
ここで、上記特許文献１に記載の表示システムでは、傾きの方向に応じてページを切替え表示しているが、表示順序が決まっているページ以外の他のページを割り込ませるような処理を行っていない。従って、表示されるページが限られ、様々なページを割込み表示することができなかった。
【０００５】
本発明は、上記の事情に鑑みなされたものであり、複数のコンテンツを順次表示させながらも、様々なコンテンツを割込み表示可能にすることを目的とする。
【課題を解決するための手段】
【０００６】
本発明の一局面に係る情報処理装置は、表示部と、前記表示部に表示される複数の通常コンテンツ及び割込みコンテンツを記憶する記憶部と、前記各通常コンテンツを前記記憶部から逐次読み出して前記表示部の画面に順次表示させ、該各通常コンテンツの順次表示中に割込みタイミングを設定して、該割込みタイミングで前記各通常コンテンツの順次表示を中断させると共に、前記割込みコンテンツを前記記憶部から読み出して前記表示部に表示させる制御部と、を備えるものである。
【発明の効果】
【０００７】
本発明によれば、複数のコンテンツを順次表示させながらも、様々なコンテンツを割込み表示できる。
【図面の簡単な説明】
【０００８】
【図１】本発明の一実施形態にかかる情報処理装置の外観を示す平面図である。
【図２】本実施形態にかかる情報処理装置の内部構成を示すブロック図である。
【図３】情報処理装置の上下方向の変位を示す斜視図である。
【図４】（Ａ）は情報処理装置の表示部の画面を略垂直に起こした状態を示す斜視図であり、（Ｂ）は表示部の画面を略水平にした状態を示す斜視図であり、（Ｃ）は表示部の画面を略水平から傾斜させた状態を示す斜視図である。
【図５】情報処理装置の表示部の画面の傾斜方向及び傾斜角度を示す斜視図である。
【図６】表示部に表示される通常コンテンツ及び割込みコンテンツを切替えるための処理手順を示すフローチャートである。
【図７】（Ａ）〜（Ｅ）は、通常コンテンツが切替え表示される表示部の画面を示す遷移図である。
【図８】（Ａ）、（Ｂ）は、表示部の画面における通常コンテンツから割込みコンテンツの表示切り替えを示す遷移図である。
【図９】表示部の画面における複数の割込みコンテンツの表示切り替えを示す遷移図である。
【発明を実施するための形態】
【０００９】
以下、本発明の実施形態について図面を参照して説明する。
【００１０】
図１は、本発明の一実施形態にかかる情報処理装置の外観を示す斜視図である。また、図２は、本実施形態にかかる情報処理装置の内部構成を示すブロック図である。
【００１１】
本実施形態の情報処理装置１０は、例えば社員証などのＩＤカードであって、制御ユニット１１と、表示部１２と、記憶部１３と、ネットワーク通信部１４と、加速度センサー１６と、角速度センサー１７とを備えている。これらの構成要素は、互いにバスを通じてデータ又は信号の送受信が可能とされている。
【００１２】
表示部１２は、液晶ディスプレイ（ＬＣＤ：Liquid Crystal Display）や有機ＥＬ（ＯＬＥＤ：Organic Light-Emitting Diode）、電子ペーパーなどから構成される。
【００１３】
記憶部１３は、大容量の書き換え可能な不揮発性メモリー（ＥＥＰＲＯＭなど）等であって、表示部１２に表示される複数のコンテンツなどを記憶している。
【００１４】
ネットワーク通信部１４は、不図示のＬＡＮチップなどの通信モジュールを備える通信インターフェイスである。このネットワーク通信部１４は、公衆回線網等のネットワークを介してサーバーなどに接続され、サーバーなどとの間でデータ通信を行う。例えば、サーバーから送信されたコンテンツ（後で述べる通常コンテンツ及び割込みコンテンツ）がネットワーク通信部１４で受信されて記憶部１３に記憶される。
【００１５】
加速度センサー１６は、情報処理装置１０に内蔵された既知の３軸の加速度センサーであり、表示部１２の画面におけるＸ軸、Ｙ軸、Ｚ軸の３方向の加速度を検出して、３方向の加速度を示すそれぞれの検出信号ＸＳ、ＹＳ、ＺＳを出力する。
【００１６】
角速度センサー１７は、既知の角速度センサーであり、情報処理装置１０の回転角度を検出する。ここでは、２つの角速度センサー１７が設けられている。一方の角速度センサー１７は、表示部１２の画面のＹ軸周りの回転を検出し、その回転角度を示す検出信号ＨＳを出力する。他方の角速度センサー１７は、表示部１２の画面のＸ軸周りの回転を検出し、その回転角度を示す検出信号ＶＳを出力する。
【００１７】
制御ユニット１１は、プロセッサー、ＲＡＭ(Random Access Memory）、及びＲＯＭ（Read Only Memory）などから構成される。プロセッサーは、ＣＰＵ（Central Processing Unit）、ＭＰＵ、又はＡＳＩＣ等である。制御ユニット１１は、上記のＲＯＭ又は記憶部１３に記憶された制御プログラムが上記プロセッサーで実行されることにより、制御部２１、変位検出部２２、傾斜検出部２３、及び通信制御部２４として機能する。なお、制御ユニット１１の上記の各構成要素は、前述の制御プログラムに基づく動作によらず、それぞれハード回路により構成されてもよい。
【００１８】
制御部２１は、全体的な動作制御を行うが、主に表示部１２の表示制御を行う。通信制御部２４は、ネットワーク通信部１４の通信動作を制御する。
【００１９】
変位検出部２２は、加速度センサー１６の検出信号ＹＳが予め設定された閾値Ｓを超えるか又は該検出信号ＹＳが閾値−Ｓを下回ると、図３に示すように上方向又は下方向の情報処理装置１０の変位を検出する。
【００２０】
傾斜検出部２３は、加速度センサー１６の各検出信号ＸＳ、ＹＳ、ＺＳに基づき重力の加速度を検出して、図４（Ａ）、（Ｂ）、（Ｃ）に示すように重力の加速度の方向（鉛直方向）Ｖを求め、この鉛直方向Ｖに対する表示部１２の画面のＸ軸又はＹ軸の方向を検出する。
【００２１】
例えば、ユーザーは、情報処理装置１０のストラップＳＴ（図１に示す）を自分の首に掛けて、情報処理装置１０をぶら下げると、図４（Ａ）に示すように表示部１２の画面が略垂直に起こされる。この場合、傾斜検出部２３は、鉛直方向Ｖが表示部１２の画面のＹ軸と略平行になることから、該画面のＹ軸の方向として略鉛直方向を検出する。
【００２２】
また、ユーザーは、情報処理装置１０の表示部１２の画面を見るときに該情報処理装置１０を手に持って、図４（Ｂ）に示すように表示部１２の画面を略水平に維持する。この場合、傾斜検出部２３は、鉛直方向Ｖが表示部１２の画面のＸ軸及びＹ軸と略直交することから、該画面のＸ軸及びＹ軸の方向として略水平方向Ｈを検出する。
【００２３】
更に、ユーザーが、図４（Ｃ）に示すように表示部１２の画面を該画面のＹ軸周りに傾斜させた場合、傾斜検出部２３は、鉛直方向Ｖが表示部１２の画面のＹ軸と略直交することから、該画面のＹ軸の方向として略水平方向Ｈを検出する。
【００２４】
また、傾斜検出部２３は、角速度センサー１７の検出信号ＨＳに基づき、図４（Ｃ）及び図５に示すように水平方向Ｈに対する表示部１２の画面のＹ軸周りの傾斜方向Ｋ及び傾斜角度αを検出する。また、傾斜検出部２３は、図５に示すようにＹ軸の順方向周り及び逆方向周りのいずれについても傾斜方向Ｋ及び傾斜角度αを検出する。
【００２５】
なお、加速度センサー１６の各検出信号ＸＳ、ＹＳ、ＺＳに基づき、表示部１２の画面の傾斜方向Ｋ及び傾斜角度αを検出することも可能である。また、加速度センサー１６の代わりに、振り子式やフロート式の傾斜センサーを用いて、表示部１２の画面の方向を検出してもよい。
【００２６】
ここで、記憶部１３には、表示部１２に表示される表示順序が予め設定された複数の通常コンテンツが記憶されている。各通常コンテンツの表示順序は、サイクリックに設定されており、最後の表示順序から最初の表示順序へと移行し、最初の表示順序から最後の表示順序へと移行することが可能に設定されている。
【００２７】
制御部２１は、最初の表示順序の通常コンテンツを記憶部１３から読み出して表示部１２の画面に表示させる。ユーザーは、図４（Ｂ）に示すように情報処理装置１０の表示部１２の画面を略水平にして、この画面を見る。
【００２８】
そして、ユーザーは、表示部１２の画面に表示されている通常コンテンツを切替えるときに図４（Ｃ）に示すように表示部１２の画面を縦のＹ軸の順方向周りに傾斜させる。傾斜検出部２３は、画面のＹ軸の順方向周りの傾斜方向Ｋ及び傾斜角度αを検出する。制御部２１は、その傾斜角度αが予め設定されている規定角度以上の場合に、該画面に表示されている通常コンテンツを、傾斜検出部２３により検出された該画面の傾斜方向Ｋにおいて高い側から低い側に向かって移動しながら徐々に消去していくように表示させる。
【００２９】
そして、制御部２１は、次の表示順序となるコンテンツを記憶部１３から読み出して、表示部１２の画面において、上記のようにして徐々に先のコンテンツが消去されて拡大していく空き領域（先のコンテンツが表示されない領域）に、読み出した該次の表示順序のコンテンツを、上記傾斜方向Ｋにおいて高い側から低い側に向かって移動しながら徐々に現れるように表示させる。
【００３０】
以降同様に、その傾斜角度α及び傾斜方向Ｋが維持されている間、複数の通常コンテンツが記憶部１３から順次読み出されて、該各通常コンテンツが表示部１２の画面上で傾斜方向Ｋの高い側から低い側に移動するように逐次表示される。
【００３１】
また、表示部１２の画面が縦のＹ軸の逆方向周りに傾斜された場合は、傾斜検出部２３により画面の縦のＹ軸の逆方向周りの傾斜方向Ｋ及び傾斜角度αが検出される。制御部２１は、その傾斜角度αが上記規定角度以上である場合に、該画面に表示されている通常コンテンツを、傾斜検出部２３により検出された該画面の傾斜方向Ｋにおいて高い側から低い側に向かって、上記順方向の場合とは逆方向に移動しながら徐々に消去していくように表示させる。
【００３２】
そして、ユーザーが情報処理装置１０の表示部１２の画面を略水平に戻して、傾斜検出部２３により検出された該画面の縦のＹ軸周りの傾斜角度αが上記規定角度よりも小さくなると、制御部２１は、表示部１２の画面上での通常コンテンツを移動させる上記のような表示を停止させる。
【００３３】
従って、ユーザーは情報処理装置１０を手に持って、表示部１２の画面を略水平に維持したり傾斜させたりすることで、様々な通常コンテンツを切替え表示させることができる。
【００３４】
一方、記憶部１３には、通常コンテンツの他に、通常コンテンツの順次表示の途中に割込んで表示部１２に表示される割込みコンテンツが記憶されている。
【００３５】
なお、情報処理装置１０は、ネットワーク通信部（図２ではＮＷ通信部）１４により、外部の情報処理装置から送信されてくる割込みコンテンツを、割込みコンテンツを表示させるタイミングが到来した時点で、或いは、以下に示す条件を満たしたときに受信して記憶部１３に記憶させておくようにしてもよい。
【００３６】
例えば、(i)制御部２１は、ユーザーの状態（疲労度）が予め定められた状態となったときに、ネットワーク通信部１４に、外部の情報処理装置に対して割込みコンテンツの送信を要求させ、当該外部の情報処理装置から割込みコンテンツを受信させて、当該割込みコンテンツを記憶部１３に記憶させる。ここで、「ユーザーの状態（疲労度）が予め定められた状態となったとき」とは、加速度センサー１６からの出力に基づいて傾斜検出部２３により表示部１２の画面のＹ軸の方向として略鉛直方向のみが検出されており、２つの角速度センサー１７によっては、表示部１２の画面のＹ軸及びＸ軸周りの両方の回転が検出されていない状態であると制御部２１が判断したときである。
【００３７】
或いは、(ii)制御部２１は、予め定められた時刻となったときに、ネットワーク通信部１４に、外部の情報処理装置に対して割込みコンテンツの送信を要求させ、当該外部の情報処理装置から割込みコンテンツを受信させて、当該割込みコンテンツを記憶部１３に記憶させる。ここで、「予め定められた時刻」とは、例えば、出勤時の午前８時、昼食時の午後１２時、退勤時の午後５時３０分のいずれか又は全てである。この場合、例えば制御ユニット１１に内蔵されるタイマーにより計時が行われる。
【００３８】
或いは、(iii)制御部２１は、情報処理装置１０が予め定められた位置にあるときに、ネットワーク通信部１４に、外部の情報処理装置に対して割込みコンテンツの送信を要求させ、当該外部の情報処理装置から割込みコンテンツを受信させて、当該割込みコンテンツを記憶部１３に記憶させる。ここで、「予め定められた位置」とは、例えば、職場の入り口、職場内の食堂、職場内の会議室のいずれか又は全てである。この場合、例えば、制御ユニット１１が内蔵するＧＰＳ機能、又は職場内に配置されているビーコンとネットワーク通信部１４との通信により、情報処理装置１０の現在地情報が取得される。
【００３９】
制御部２１は、上記のような各通常コンテンツの順次表示に際し、割込みコンテンツの割込みタイミングを設定して、該割込みタイミングで各通常コンテンツの順次表示を中断させると共に、割込みコンテンツを記憶部１３から読み出して表示部１２に表示させる。そして、制御部２１は、割込みコンテンツの表示開始からの経過時間を計時し、この経過時間が一定時間に達すると、割込みコンテンツの表示を前記表示部から消去して、各通常コンテンツの順次表示を再開させる。
【００４０】
また、制御部２１は、変位検出部２２による図３に示す上方向又は下方向の情報処理装置１０の変位の検出に応じて、割込みコンテンツの表示を上記一定時間以上継続させ、又は割込みコンテンツの表示を消去する。
【００４１】
これにより、複数の通常コンテンツを順次表示させながらも、ユーザーに煩わしいと感じさせない適度な時間間隔を保って、様々な割込みコンテンツを割込み表示させることが可能である。
【００４２】
次に、そのようなユーザーによる情報処理装置１０の操作に応じて表示部１２に表示される通常コンテンツを切替えたり、割込みコンテンツを表示させたりするための処理手順を、図６に示すフローチャートなどを参照して説明する。
【００４３】
まず、ユーザーは、情報処理装置１０のストラップＳＴを自分の首に掛けて、情報処理装置１０をぶら下げ、また情報処理装置１０のスイッチをオンにして、情報処理装置１０を起動させる（Ｓ１０１）。制御部２１は、情報処理装置１０が起動されると、予め定められた最初の表示順序のコンテンツＣ１を記憶部１３から読み出して、図７（Ａ）に示すようにコンテンツＣ１を表示部１２の画面に表示させる（Ｓ１０２）。
【００４４】
ユーザーが情報処理装置１０をぶら下げた状態では、図４（Ａ）に示すように表示部１２の画面が略垂直に起こされるので、傾斜検出部２３は、表示部１２の画面のＹ軸の方向として略鉛直方向を検出する。この場合、制御部２１は、表示部１２の画面の方向が水平方向ではないと判定し（Ｓ１０３「Ｎｏ」）、Ｓ１０２、Ｓ１０３の処理を繰り返して、最初の表示順序のコンテンツＣ１を表示部１２の画面に継続して表示させつつ、表示部１２の画面の方向が略水平方向となるのを待機する。
【００４５】
ここで、ユーザーが情報処理装置１０を手に持って表示部１２の画面を略水平にすると、図４（Ｂ）に示すように鉛直方向Ｖが表示部１２の画面のＸ軸及びＹ軸と略直交するので、傾斜検出部２３は、表示部１２の画面のＸ軸及びＹ軸の方向として略水平方向を検出する。この場合、制御部２１は、表示部１２の画面の方向が略水平方向であると判定し（Ｓ１０３「Ｙｅｓ」）、傾斜検出部２３により検出された表示部１２の画面の縦のＹ軸周りの傾斜方向Ｋ及び傾斜角度αを取得する（Ｓ１０４）。そして、制御部２１は、傾斜角度αが予め設定された規定角度Ｑ（例えば２０°）以上であるか否かを判定する（Ｓ１０５）。
【００４６】
このとき、ユーザーが表示部１２の画面を略水平に維持し続けているとすると、制御部２１は、縦のＹ軸周りの傾斜角度αが規定角度Ｑ未満であると判定して（Ｓ１０５「Ｎｏ」）、コンテンツＣ１を表示部１２の画面に継続して表示させることになる。そして、制御部２１は、傾斜検出部２３により検出された表示部１２の画面の縦のＹ軸の方向が略水平に維持されていると判断した場合は（Ｓ１０６「Ｙｅｓ」）、Ｓ１０４からの処理を繰り返す。すなわち、図４（Ｂ）に示すように、表示部１２の画面の縦のＹ軸の方向が略水平に維持されている限り、コンテンツを切替え表示させるためのユーザー操作が継続されているものとして、Ｓ１０４からの処理を繰り返す。
【００４７】
そして、ユーザーが表示部１２の画面を縦のＹ軸周りに傾斜させて、制御部２１が、縦のＹ軸周りの傾斜角度αが規定角度Ｑ以上となったと判定すると（Ｓ１０５「Ｙｅｓ」）、制御部２１は、最初の通常コンテンツからの通常コンテンツの切替え表示の回数Ｎを算出し（Ｓ１０７）、この回数Ｎが予め設定された規定回数Ｍに達したか否かを判定する（Ｓ１０８）。例えば、規定回数Ｍが「３」に予め設定されているとすると、最初の通常コンテンツＣ１から次の通常コンテンツへの表示の切り替えが行われる前であり、よって回数Ｎが「０」であるから、制御部２１は、回数Ｎが規定回数Ｍに達していないと判定する（Ｓ１０８「Ｎｏ」）。なお、回数Ｎは、制御ユニット１１に内蔵されるカウンターによりカウントされている。
【００４８】
この場合、制御部２１は、通常コンテンツＣ１を、傾斜検出部２３により検出された該画面の傾斜方向Ｋにおいて高い側から低い側に向かって移動しながら徐々に消去していくように表示させる。更に、制御部２１は、該画面の縦のＹ軸の順方向周り又は逆方向周りに応じた次の表示順序となるコンテンツを記憶部１３から読み出して、表示部１２の画面において、上記のようにして徐々に先のコンテンツが消去されて拡大していく空き領域（先のコンテンツが表示されない領域）に、読み出した該次の表示順序のコンテンツを、上記傾斜方向Ｋにおいて高い側から低い側に向かって移動しながら徐々に現れるように表示させ、更に、最初の通常コンテンツからの通常コンテンツの切替え表示の回数Ｎを上記カウンターにより「１」カウントアップさせる（Ｓ１０９）。
【００４９】
例えば、(I)制御部２１は、表示部１２の画面が縦のＹ軸の順方向周りに傾斜されて傾斜角度αが規定角度Ｑ以上となったとき、図７（Ｂ）に示すように表示部１２の画面上で通常コンテンツＣ１を傾斜方向Ｋの高い側から低い側に移動するように表示させ、同時に次の表示順序の通常コンテンツＣ２を傾斜方向Ｋの高い側から低い側に移動するように表示させ、図７（Ｃ）に示すように通常コンテンツＣ１を該画面で非表示とし、次の表示順序の通常コンテンツＣ２のみを該画面に表示させる。
【００５０】
また、(II)制御部２１は、表示部１２の画面が縦のＹ軸の逆方向周りに傾斜されて傾斜角度αが規定角度Ｑ以上となったとき、図７（Ｄ）に示すように表示部１２の画面上で通常コンテンツＣ１が(I)の場合とは逆向きに、傾斜方向Ｋの高い側から低い側に移動するように表示させ、当該逆方向に表示を移動させると同時に、当該逆方向での表示時における次の表示順序の通常コンテンツＣＮを傾斜方向Ｋの高い側から低い側に移動するように表示させ、図７（Ｅ）に示すように通常コンテンツＣ１が該画面で非表示とし、次の表示順序の通常コンテンツＣＮのみを該画面に表示させる。
【００５１】
この後、制御部２１は、傾斜検出部２３により検出された表示部１２の画面の縦のＹ軸の方向が略水平に維持されていると判断したときは（Ｓ１０６「Ｙｅｓ」）、通常コンテンツを切替え表示させるためのユーザー操作が継続されているとして、Ｓ１０４からの処理を繰り返す。
【００５２】
この後、例えばユーザーが表示部１２の画面を略水平に戻したとすると、制御部２１は、縦のＹ軸周りの傾斜角度αが規定角度Ｑ未満であると判定することになり（Ｓ１０４，Ｓ１０５「Ｎｏ」）、表示部１２の画面上での通常コンテンツの移動表示を停止させて、次の通常コンテンツを表示させることなく、Ｓ１０６、Ｓ１０４、Ｓ１０５を繰り返すことになる。これにより、表示部１２の画面が略水平に戻されたときに該画面に表示されていた通常コンテンツが継続して表示される。
【００５３】
また、ユーザーが表示部１２の画面を縦のＹ軸周りの傾斜を維持したとすると、制御部２１は、縦のＹ軸周りの傾斜角度αが規定角度Ｑ以上であると判定して（Ｓ１０５「Ｙｅｓ」）、再び、最初の通常コンテンツからの通常コンテンツの切替え表示の回数Ｎを算出し（Ｓ１０７）、この回数Ｎが規定回数Ｍに達したか否かを判定する（Ｓ１０８）。
【００５４】
このとき、例えば、通常コンテンツＣ１から次の表示順序の通常コンテンツＣ２又はＣＮに切替えられたばかりであって、切替え表示の回数Ｎが「１」であり、また上記のように規定回数Ｍが「３」に設定されているとき、制御部２１は、回数Ｎが規定回数Ｍに達していない（この時点では切替え表示の回数Ｎが「２」であるため）と判定して（Ｓ１０８「Ｎｏ」）、表示部１２の画面上で通常コンテンツを傾斜方向Ｋの高い側から低い側に移動しながら徐々に消去していくように表示させる。更に、制御部２１は、該画面の縦のＹ軸の順方向周り又は逆方向周りに応じた次の表示順序となるコンテンツを記憶部１３から読み出して、表示部１２の画面において、上記のようにして徐々に先のコンテンツが消去されて拡大していく空き領域（先のコンテンツが表示されない領域）に、読み出した該次の表示順序のコンテンツを、上記傾斜方向Ｋにおいて高い側から低い側に向かって移動しながら徐々に現れるように表示させる（Ｓ１０９）。
【００５５】
そして、制御部２１は、傾斜検出部２３により検出された表示部１２の画面の縦のＹ軸の方向が略水平に維持されていると判断すると（Ｓ１０６「Ｙｅｓ」）、１０４からの処理を繰り返す。
【００５６】
以降同様に、制御部２１は、ユーザーが表示部１２の画面を縦のＹ軸周りの傾斜を維持している状態では（Ｓ１０５「Ｙｅｓ」）、最初の通常コンテンツからの通常コンテンツの切替え表示の回数Ｎを算出して（Ｓ１０７）、この回数Ｎが規定回数Ｍに達していなければ（Ｓ１０８「Ｎｏ」）、表示部１２の画面上に表示させている通常コンテンツを傾斜方向Ｋの高い側から低い側に移動しながら徐々に消去していくように表示させ、該画面の縦のＹ軸の順方向周り又は逆方向周りに応じた次の表示順序となるコンテンツを記憶部１３から読み出して、表示部１２の画面において、上記のようにして徐々に先のコンテンツが消去されて拡大していく空き領域（先のコンテンツが表示されない領域）に、読み出した該次の表示順序のコンテンツを、上記傾斜方向Ｋにおいて高い側から低い側に向かって移動しながら徐々に現れるように表示させる（Ｓ１０９）、という処理を繰り返す。
【００５７】
そして、表示部１２の画面上での通常コンテンツの切替え表示に伴い、最初の通常コンテンツからの通常コンテンツの切替え表示の回数Ｎが増大して規定回数Ｍに達したとき（Ｓ１０８「Ｙｅｓ」）、制御部２１は、この時点で表示部１２の画面上に表示させている通常コンテンツを傾斜方向Ｋの高い側から低い側に移動しながら徐々に消去していくように表示させ、割込コンテンツを記憶部１３から読み出して、表示部１２の画面において、上記のようにして徐々に先のコンテンツが消去されて拡大していく空き領域（先のコンテンツが表示されない領域）に、読み出した該次の表示順序のコンテンツを、上記傾斜方向Ｋにおいて高い側から低い側に向かって移動しながら徐々に現れるように表示させる。
【００５８】
そして、回数Ｎが規定回数Ｍに達した後に行われる、次の表示順序のコンテンツに表示を切り替えるタイミングを、割込みタイミングとして設定する。すなわち、制御部２１は、当該割込みタイミングで割込みコンテンツを表示部１２の画面に表示させることで、次の表示順序のコンテンツの表示に代えて、当該割込みコンテンツを表示部１２の画面に表示させる。このために、制御部２１は、この時点で表示部１２の画面上に表示させている通常コンテンツを傾斜方向Ｋの高い側から低い側に移動しながら消去されるように表示させると共に、割込みコンテンツを記憶部１３から読み出して、この割込みコンテンツを、表示部１２の画面において、上記のようにして徐々に先のコンテンツが消去されて拡大していく空き領域（先のコンテンツが表示されない領域）に、上記傾斜方向Ｋにおいて高い側から低い側に向かって移動しながら徐々に現れるように表示させる（Ｓ１１０）。
【００５９】
例えば、図８（Ａ）に示すように表示部１２の画面上で通常コンテンツＣ４が傾斜方向Ｋの高い側から低い側に移動しながら消去されるように表示されると共に、割込みコンテンツＤ１が傾斜方向Ｋの高い側から低い側に向かって移動しながら徐々に現れるように表示される。
【００６０】
このとき、複数の割込みコンテンツが記憶部１３に記憶されている場合は、制御部２１は、表示部１２の画面の縦のＹ軸の順方向周り又は逆方向周りに応じて予め定められている表示順序の割込みコンテンツを記憶部１３から読み出して、この読み出した割込みコンテンツを表示させる。制御部２１は、例えば図９に示すように、複数の割込みコンテンツＤ１、Ｄ２、Ｄ３を、表示部１２の画面の縦のＹ軸の順方向周り又は逆方向周りに応じて予め定められた表示順序に従って、サイクリックに表示させる。
【００６１】
また、制御部２１は、割込みコンテンツの表示開始からの経過時間Ｔを計時して、この経過時間Ｔが一定時間ＴＡに達したか否かを判定すると共に（Ｓ１１１）、ユーザーにより割込みコンテンツの継続表示を入力指示するための操作がなされたか否かを判定する（Ｓ１１２）。この割込みコンテンツの継続表示を入力指示するための操作は、例えば情報処理装置１０を上方向に振る操作であり、この上方向に振る操作が、変位検出部２２により情報処理装置１０の上方向の変位として検出される。制御部２１は、変位検出部２２により情報処理装置１０の上方向の変位が検出されると、割込みコンテンツの継続表示を入力指示するための操作がなされたと判定する。
【００６２】
ここで、割込みコンテンツの継続表示を入力指示するための操作がなされることなく（Ｓ１１２「Ｎｏ」）、経過時間Ｔが一定時間ＴＡに達すると（Ｓ１１１「Ｙｅｓ」）、制御部２１は、割込みコンテンツの表示を表示部１２の画面から消去して、表示部１２の画面の縦のＹ軸の順方向周り又は逆方向周りに応じて予め定められている次の表示順序の通常コンテンツを記憶部１３から読み出して、この読み出した通常コンテンツを該画面に表示させる（Ｓ１０９）。すなわち、制御部２１は、割込みタイミングの到来時に本来表示すべきであった通常コンテンツを表示部１２の画面に表示させる。
【００６３】
そして、制御部２１は、傾斜検出部２３により検出された表示部１２の画面の縦のＹ軸の方向が略水平に維持されていることを確認して（Ｓ１０６「Ｙｅｓ」）、１０４からの処理を繰り返す。従って、各通常コンテンツの順次表示が再開される。
【００６４】
また、制御部２１は、経過時間Ｔが一定時間ＴＡに達する前に（Ｓ１１１「Ｎｏ」）、割込みコンテンツの継続表示を入力指示するための操作がなされたと判断すると（Ｓ１１２「Ｙｅｓ」）、該入力指示の操作が行われた時点（変位検出部２２による情報処理装置１０の上方向の変位の検出時点）で表示部１２の画面に表示されていた割込みコンテンツの表示を継続させる（Ｓ１１３）。従って、例えば、情報処理装置１０を上方向に振る操作が、割込みコンテンツの継続表示を入力指示するための操作として設定されている場合、ユーザーは、情報処理装置１０を上方向に振ることで、経過時間Ｔが一定時間ＴＡに達したか否かに拘わらず、割込みコンテンツを継続的に表示させることができる。
【００６５】
制御部２１は、この割込みコンテンツを継続表示させた後、ユーザーにより割込みコンテンツの継続表示の停止を入力指示するための操作がなされたか否かを判定する（Ｓ１１４）。この割込みコンテンツの継続表示の停止を入力指示するための操作は、例えば情報処理装置１０を下方向に振る操作であり、この下方向に振る操作が、変位検出部２２により情報処理装置１０の下方向の変位として検出される。制御部２１は、変位検出部２２により情報処理装置１０の下方向の変位が検出されると、割込みコンテンツの継続表示の停止を入力指示するための操作がなされたと判定する。
【００６６】
割込みコンテンツの表示の継続中に（Ｓ１１３）、割込みコンテンツの継続表示の停止を入力指示するための操作がなされると（Ｓ１１４「Ｙｅｓ」）、制御部２１は、割込みコンテンツの表示を停止して非表示とし、表示部１２の画面の縦のＹ軸の順方向周り又は逆方向周りに応じて予め定められている次の表示順序の通常コンテンツ（割込みタイミングの到来時に本来表示すべきであった通常コンテンツ）を記憶部１３から読み出して、この読み出した通常コンテンツを該画面に表示させる（Ｓ１０９）。そして、制御部２１は、傾斜検出部２３により検出された表示部１２の画面の縦のＹ軸の方向が略水平に維持されていると判断したときは（Ｓ１０６「Ｙｅｓ」）、Ｓ１０４からの処理を繰り返して、各通常コンテンツの順次表示を再開する。
【００６７】
一方、ユーザーが、表示部１２の画面を略水平に維持せず、情報処理装置１０のストラップＳＴを自分の首に掛けて、情報処理装置１０をぶら下げた状態にすると、鉛直方向Ｖが表示部１２の画面の縦のＹ軸と平行になる。このときは、制御部２１は、表示部１２の画面の縦のＹ軸の方向が略水平に維持されていないと判定して（Ｓ１０６「Ｎｏ」）、通常コンテンツ及び割込みコンテンツを切替え表示させるためのユーザー操作が終了したものとして、Ｓ１０２からの処理に戻る。
【００６８】
このように本実施形態では、各通常コンテンツの順次表示に際し、割込みコンテンツの割込みタイミングが設定されて、該割込みタイミングで割込みコンテンツが表示部に表示されるので、多様なコンテンツの表示が可能となる。すなわち、複数のコンテンツを順次表示させながらも、様々なコンテンツを割込み表示することが可能になる。
【００６９】
なお、上記実施形態では、最初の通常コンテンツからの通常コンテンツの切替え表示の回数Ｎが規定回数Ｍに達した後に到来する、次の表示順序のコンテンツを表示させるタイミングを割込みタイミングとして設定して、この割込みタイミングで割込みコンテンツを表示しているが、この代わりに、他のタイミングを割込みタイミングとして設定してもよい。例えば、制御部２１は、切替え表示の回数Ｎに拘わらず、予め定められた通常コンテンツ（例えば、最初の表示順序の通常コンテンツＣ１）を表示させた後に到来する、当該通常コンテンツＣ１から次の表示順序のコンテンツに表示を切り替えるタイミングを、割込みタイミングとして設定して、この割込みタイミングで割込みコンテンツを表示部１２に表示させてもよい。
【００７０】
また、制御部２１は、前回の各通常コンテンツの順次表示の終了時からの経過時間を計時しておき、今回の各通常コンテンツの順次表示の開始時に、その経過時間が予め設定された規定時間以上となっている場合に、今回の各通常コンテンツの順次表示の開始時のタイミングを割込みコンテンツの割込みタイミングとして設定して、この割込みタイミングで割込みコンテンツを、表示部１２に表示させてもよい。
【００７１】
また、上記実施形態では、水平方向に対する表示部１２の画面のＹ軸周りの傾斜方向Ｋ及び傾斜角度αを検出しているが、水平方向とは異なる所定方向に対する画面のＹ軸周りの傾斜方向Ｋ及び傾斜角度αを検出してもよい。例えば、表示部１２の画面を任意の姿勢に保持しているときに、キーなどの操作に応じて傾斜検出部２３が鉛直方向Ｖに対する表示部１２の画面のＸ軸の方向を検出して、このＸ軸の方向を所定方向として初期設定し、この後に傾斜検出部２３が所定方向に対する画面のＹ軸周りの傾斜方向Ｋ及び傾斜角度αを検出するようにする。
【００７２】
また、上記実施形態では、制御部２１は、ユーザーが情報処理装置１０を上方向に振る操作を、割込みコンテンツの表示部１２の画面での表示を維持させる入力指示とし、ユーザーが情報処理装置１０を下方向に振る操作を、割込みコンテンツの表示を消去する入力指示として判定しているが、この代わりに、ユーザーが情報処理装置１０を表示部１２の画面のＸ軸周りの上方向に回転させた操作を、割込みコンテンツの表示を維持させる入力指示と判定し、ユーザーが情報処理装置１０を該画面のＸ軸周りの下方向に回転させる操作を、割込みコンテンツの表示を消去させる入力指示と判定する等、別の操作に応じて、割込みコンテンツの表示を維持させる入力指示であるか、或いは、割込みコンテンツの表示を消去させる入力指示であるか、を判定するようにしてもよい。
【００７３】
また、制御部２１は、ユーザーが情報処理装置１０を表示部１２の画面のＹ軸周りに傾斜させる操作を、通常コンテンツの表示切替を求める入力指示と判定して、この入力指示に応じて、表示部１２の画面上で通常コンテンツの表示切替を行っているが、この代わりに、制御部２１は、ユーザーが情報処理装置１０を左方向又は右方向に振る操作を、通常コンテンツの表示切替を求める入力指示と判定して、この入力指示に応じて、表示部１２の画面上で通常コンテンツの表示切替を行うようにしてもよい。この場合、制御部２１は、表示部１２の画面上における各通常コンテンツの表示を、当該振る操作が行われた方向に移動させるようにしてもよい。
【００７４】
また、通常コンテンツ及び割込みコンテンツの移動並びに更新を指示するための操作キーを設けておき、制御部２１は、これらの操作キーの操作により入力される指示に応じて、表示部１２の画面上で表示切替を行うようにしてもよい。
【００７５】
また、本発明の情報処理装置は、ＩＣカードに限らず、他の種類の携帯用の装置に適用することが可能である。
【００７６】
また、図１乃至図９を用いて説明した上記実施形態の構成は、本発明の一例に過ぎず、本発明を当該構成に限定する趣旨ではない。
【符号の説明】
【００７７】
１０    情報処理装置
１１    制御ユニット
１２    表示部
１３    記憶部
１４    ネットワーク通信部
１６    加速度センサー
１７    角速度センサー
２１    制御部
２２    変位検出部
２３    傾斜検出部
【図１】
2019168524.tif 000003
【図２】
2019168524.tif 000004
【図３】
2019168524.tif 000005
【図４】
2019168524.tif 000006
【図５】
2019168524.tif 000007
【図６】
2019168524.tif 000008
【図７】
2019168524.tif 000009
【図８】
2019168524.tif 000010
【図９】
2019168524.tif 000011